(57)【要約】      （修正有）【課題】頭の重みでマッサージ器がずれたり、ボールとボールの間隔を途中で変えてマッサージする部位を変えることができる、後頭部の頸椎、背中、腰をマッサージするボールマッサージ器を提供する。【解決手段】２個以上のボールに、弾性部材７を付加して、収納部材６で覆うことで、頚椎に使う場合にボールマッサージ器がずれることを防ぐ。さらにマッサージの部位に使用する第１のボール１と第２のボール２の間の中央にスリット８を入れて、２個のボールを内側若しくは外側に可動できる構造で、マッサージ範囲を拡大する。【選択図】図１
2015042235.tif 000002
【特許請求の範囲】
【請求項１】
２個以上のボールと、 
前記ボールの内の第１と第２のボールを一辺で支持する弾性部材と、
前記２個以上のボールと前記弾性部材とを収納する収納部材と、を備え、 
前記第１と第２のボールは、前記収納部材の隣り合う角部に配置され、
該角部間の中央にスリットを持つことにより、前記第１と第２のボールは最初の位置に対して内側若しくは外側に可動できるボールマッサージ器。
【請求項２】
前記第１と第２のボールとそれぞれ等しい距離に対向して位置する第３のボールを有し、
前記第１と第２のボールと前記第３のボールとの間には前記弾性部材が配置され、
前記第３のボールは、前記第１と第２のボールより柔らかく小さいことを特徴とする請求項１に記載のボールマッサージ器。
【請求項３】
前記第１と第２のボールとそれぞれ対向する第４と第５のボールを有し、
前記第１と第２のボールと前記第４と第５のボールとの間には前記弾性部材が配置され、
前記第４と第５のボールは前記第１と第２のボール以下の大きさであることを特徴とする請求項１に記載のボールマッサージ器。
【請求項４】
前記最初の位置で前記スリットが開いた形状の前記収納部材では、
前記第１と第２のボールとの間にボールの間隔を開く柔軟な弾性部材と、
前記収納部材の形状及び前記第１と第２のボールの位置を固定する収縮固定具があり、
前記スリットを閉じる場合、前記収縮固定具により、前記第１のボールと前記第２のボールと間の距離を固定でき、
前記スリットを再度開く場合、前記ボールの間隔を開く柔軟な弾性部材の膨張性により、前記第１のボールと前記第２のボールが自然に前記最初の位置に戻ることを特徴とする請求項１〜３のいずれかに記載のボールマッサージ器。
【請求項５】
前記最初の位置で前記スリットが閉じた形状の前記収納部材では、
前記収納部材と前記弾性部材が前記スリットが閉じた形状で製作され、
前記スリットを開いた形状では、前記スリットに隣接する前記第１と第２のボールとの間の距離も広がり、使用が終了すると前記最初の位置に前記第１と第２のボールが自動で戻ることを特徴とする請求項１〜３のいずれかに記載のボールマッサージ器。
【請求項６】
前記弾性部材は３層であり、内側の素材は変形が少ない固めの弾性部材であり、外側の前記収納部材の表面と底面に接する素材は柔軟な弾性部材であることを特徴とする請求項１〜５のいずれかに記載のボールマッサージ器。
【請求項７】
固い底面部材を有し、
前記ボール及び前記弾性部材の下部と、前記収納部材との間に前記固い底面部材を用いた請求項１〜６のいずれかに記載のボールマッサージ器。
【請求項８】
椅子止めホルダを有し、
前記収納部材に前記椅子止めホルダを付加して、椅子に固定できることを特徴とする請求項１〜７のいずれかに記載のボールマッサージ器。
【請求項９】
前記ボールの２個以上が硬式テニスボールである請求項１〜８のいずれかに記載のボールマッサージ器。
【発明の詳細な説明】
【技術分野】
【０００１】
本発明は、筋肉疲労を低減させる効果を得るボールマッサージ器の技術分野とする。
【０００２】
筋肉疲労を低減させる第一の部位は首の後ろ髪の生え際の部分であり、仰向けに寝て頭の重みをボールマッサージ器に加えたり、頭を左右にゆらすことでマッサージをする。以下、首の後ろの髪の生え際の部分を頸部と記載する。
【０００３】
第二の部位は仰向けに寝たり、椅子に座った使用者の腰部や背中であり、使用者がボールマッサージ器に体重をかけたり、体を左右にゆらすことでマッサージを行う。
【背景技術】
【０００４】
クッションカバーの中にボールを入れる袋部を設け、ボール１つ一つが自由に動けるスペースごとに区切られた構造になっていることを特徴とするボール入りマッサージクッションがある。（例えば、特許文献１参照）
【０００５】
テニスボールなどを、ゴム弾性を有するエラストマーで固定して、ツボや患部を押圧するボール支持具がある。（例えば、特許文献２参照）
【０００６】
基台の上面に頸部の頭側の付け根を押圧する一対の突起部をもつ肩こり治療用枕がある。（例えば、特許文献３参照）
【０００７】
テニスボールを袋内に複数挿入し、係留材によってテニスボールを身体に圧接させるマッサージ具がある。（例えば、特許文献４参照）
【０００８】
空気袋の中にテニスボールを入れてこの２つの弾力性を利用してマッサージする方法がある。（例えば、特許文献５参照）
【０００９】
２個のテニスボールをガムテープで固定して頸部をマッサージする方法がある。（例えば、非特許文献１参照）
【先行技術文献】
【特許文献】
【００１０】
【特許文献１】特許公開２０１３−２２２１４
【特許文献２】特許公開２０１２−２１７５９４
【特許文献３】特許公開２００５−１５２４１０
【特許文献４】特許公開２００３−１１１８０９
【特許文献５】特許公開平１１−５６９４６
【非特許文献】
【００１１】
【非特許文献１】書籍：酒井式！テニスボール枕で首・肩こりが劇的解消、出版：宝島社、監修：酒井慎太郎
【発明の概要】
【発明が解決しようとする課題】
【００１２】
本発明はボールを用いて頸部や腰や背中をマッサージするボールマッサージ器である。
【００１３】
（１）請求項１の解決しようとする課題
解決しようとする第一の課題は、人体に有効なツボ位置が、使用者に分かり難いことがあり、頸部へのマッサージに使うボールをツボの位置に定めることを第一の目的とする。
【００１４】
解決しようとする第二の課題は、寝た状態で頸部に使う際、滑り易い床だと、肩側にずれるため、物や手で支えなくてはならない不便さがあるため、ボールがずれるのを防ぐことを第二の目的とする。
【００１５】
解決しようとする第三の課題は、同じ位置でマッサージを続けていると、異なる部位に移動したい場合があり、ボールの位置を動かしてマッサージする範囲を変えることを第三の目的とする。
【００１６】
（２）請求項２の解決しようとする課題
解決しようとする第四の課題は、寝る際に使用して朝まで同じ状態で熟睡したとき頭部に痛みを感じる場合があるため、左右の安定を弱めて寝がえりで外れることを第四の目的とする。
【００１７】
（３）請求項３の解決しようとする課題
解決しようとする第五の課題は、頸部に使用する同じボールマッサージ器を腰部に使用する際、ボールが体に当たる強さが強いため、第１と第２のボールにかかる重さを他のボールで分散することを第五の目的とする。
【００１８】
（４）請求項４の解決しようとする課題
解決しようとする第六の課題は、ボールの位置を動かすことができるスリットのある構成で、最初の位置としてスリットが開いた形状のとき、スリットを狭くして使うと、使用中にスリットが開いてしまうことがあり、スリットを狭めた形状を保って使用できることを第六の目的とする。
【００１９】
（５）請求項５の解決しようとする課題
解決しようとする第七の課題は、最初の位置としてスリットが閉じた形状のとき、スリットを開いて使うと終了時に閉じない場合があり、終了時にスリットを自動で最初の位置に戻すことを第七の目的とする。
【００２０】
（６）請求項６の解決しようとする課題
解決しようとする第八の課題は、頸部に使用する角度や押す力加減によっては、弾性部材が大きく変形する場合があり、弾性部材の形状を使用時の圧力に関わらずほぼ一定の形状に保つことを第八の目的とする。
【００２１】
（７）請求項７の解決しようとする課題
解決しようとする第九の課題は、柔らかな布団の上で頚椎に使用する際、使用際にボールが深く布団に入り、ツボへの圧力が弱まる場合があり、使用の際にボールが布団に入る深さを低減することを第九の目的とする。
【００２２】
（８）請求項８の解決しようとする課題
解決しようとする第十の課題は、椅子の背もたれの部分で使用する際には、ボールマッサージ器が自重で落ちてしまうため、椅子の定位置に固定することを第十の目的とする。
【００２３】
（９）請求項９の解決しようとする課題
解決しようとする第十一の課題は、ボールマッサージ器を形成するボールのサイズや種類を定めづらい際に、ボールの種類を定めることを第十一の目的とする。
【課題を解決するための手段】
【００２４】
本発明は、上記の目的を達成するために、次の課題解決手段を備えて構成されている。
（１）請求項１の発明
本発明での、第一の目的であるボール位置を頸部のツボ位置に定める手段として、頸椎のツボ位置にあてる第１と第２のボールを一辺で支持し、肩から頸椎のツボ位置までの長さを保つための弾性部材と、ボールと弾性部材とを収納する収納部材とを備えることを特徴とする。
【００２５】
次に、第二の目的である頸部に使用する際にボールのずれを防ぐという点では、ボールマッサージ器が頭部の重みで肩の方向にずれ易くなるため、その力に拮抗する固さで変形の少ない弾性部材を使用することを特徴とする。
【００２６】
次に、第三の目的であるボールの位置を動かしてマッサージする範囲を変えるため、収納部材での隣り合う角部に置いた第１と第２ボ―ルの中央にスリットを持ち、第１と第２ボ―ルは最初の位置に対して内側若しくは外側に可動できることを特徴とする。
【００２７】
（２）請求項２の発明
次に、第四の目的である左右の安定を弱めて睡眠時の寝がえりで頭部から外れることを目的とするには、意識的に使用する際には安定し、無意識の寝がえりで外れる程度の不安定さがある形状とする。そのため、第１と第２のボールとそれぞれ等しい距離に対向して位置する第３のボールを有する三角形の形状として、第１と第２のボールと第３のボールとの間には弾性部材を配置し、第３のボールは背骨に圧迫感を持たない程度の柔らかさで第１と第２のボールより小さいことを特徴とする。
【００２８】
（３）請求項３の発明
次に、第五の目的としてボールにかかる重さを分散するためには、第１と第２のボールとそれぞれ対向する位置に第４と第５のボールを設けて重さを分散する。この第１と第２のボールと、第４と第５のボールとの間には弾性部材を配置し、第４と第５のボールは、頸部で使う際に肩に当て易いように第１と第２のボール以下のサイズであることを特徴とする。
【００２９】
（４）請求項４の発明
次に、第六の目的として最初の位置でスリットが開いた形状の収納部材では、第１と第２のボールとの間にボールの間隔を開く柔軟な弾性部材と、スリットを閉じる際に第１と第２のボールの位置を固定する収縮固定具を備える。
そこで、スリットを閉じる場合は収縮固定具によりボールの間隔を開く柔軟な弾性部材が収縮され、第１のボールと第２のボールとの間の距離を狭めて固定できることを特徴とする。
スリットを再度開く場合には、収縮固定具を外すことでボールの間隔を開く柔軟な弾性部材が膨張性により広がり、第１のボールと第２のボールが自然に最初の位置に戻ることを特徴とする。
【００３０】
（５）請求項５の発明
次に、第七の目的は最初の位置がスリットが閉じた形状であり自動で最初の位置に戻るものであり、最初の位置に合わせて収納部材を製作し、弾性部材の形状を設定することを特徴とする。これによって、スリットを広げて使った場合には、収納部材と弾性部材に最初の位置に戻る方向のストレスがかかり、使用を終了した際には、自動で最初の位置に戻る。
【００３１】
（６）請求項６の発明
次に、第八の目的である弾性部材を使用時の圧力に関わらずほぼ一定の形状に持つためには、弾性部材が３層で異なる素材が用いられる。内面の素材は変形が少ない固めの弾性部材を用い、外側の収納部材に接する表面と底面には柔軟な弾性部材を用いることを特徴とする。
【００３２】
（７）請求項７の発明
次に、第九の目的である布団で使用する際に頭部の重みでボールが布団に入る深さを低減するためには、ボール及び弾性部材の下部と、収納部材との間に、第１と第２のボールの可動を制限しない範囲の広い面積の固い底面部材を用いることを特徴とする。
【００３３】
（８）請求項８の発明
次に、第十の目的であるボールマッサージ器を椅子の定位置で使用できるようにするためには、長さが調整可能なベルト椅子止めホルダを収納部材に付加することで、ボールマッサージ器を椅子に固定できることを特徴とする。
【００３４】
（９）請求項９の発明
次に、第十一の目的であるツボに当てるボールのサイズと品種を定めるには、硬式テニスボールを用いることを特徴とする。
【発明の効果】
【００３５】
上述したように本発明は、前記の手段構成によって、頸部のツボに頭部の重みをかけたり、頭部を左右に動かすことで、頸部の疲れを取るマッサージの効果がある。
【００３６】
背中や腰にも前記の手段構成によって、体重をかけることでマッサージの効果がある。
【図面の簡単な説明】
【００３７】
【図１】本実施形態のボールマッサージ器の斜視図。
【図２】本実施形態の第一実施例の斜視図。
【図３】本実施形態の第一実施例の正面図。
【図４】本実施形態の第一実施例の左側面図。
【図５】本実施形態の第一実施例の平面図。
【図６】本実施形態の第一実施例の底面図。
【図７】本実施形態の第一実施例のスリットを閉じた平面図。
【図８】本実施形態の第一実施例でスリットを開いた収縮固定具の厚さを誇張した背面図の下部（図８（ａ））、スリットを閉じた収縮固定具の厚さを誇張した背面図の下部（図８（ｂ））。
【図９】本実施形態の第一実施例と第二実施例で、頸部に使用した際に力のかかる方向を示す側面図。
【図１０】本実施形態の第二実施例の斜視図。
【図１１】本実施形態の第二実施例の正面図。
【図１２】本実施形態の第二実施例の左側面図。
【図１３】本実施形態の第二実施例の平面図。
【図１４】本実施形態の第二実施例の底面図。
【図１５】本実施形態の第二実施例のスリットを開いた平面図。
【図１６】本実施形態の第三実施例の固い底面部材を装着した側面図。
【図１７】本実施形態の第四実施例の椅子に装着した斜視図。
【図１８】本実施形態の第五実施例の椅子に複数個を連結した斜視図。
【発明を実施するための形態】
【００３８】
以下、実施例により本発明を詳細に説明する。しかしながら本発明の範囲はかかる実施例に制限されない。
【実施例】
【００３９】
本実施形態のボールマッサージ器の斜視図（図１）にて請求項１を示し、最初の位置のスリットの開閉状態により第一実施例と第二実施例に分ける。
【００４０】
（１）第一実施例
斜視図（図２）、正面図（図３）、左側面図（図４）、平面図（図５）、底面図（図６）、スリットを閉じた平面図（図７）、スリットを開いた収縮固定具の厚さを誇張した背面図の下部（図８（ａ））、スリットを閉じた収縮固定具の厚さを誇張した背面図の下部（図８（ｂ））は、本発明の第一実施例であって請求項１、２、４、６に示すものである。
【００４１】
第一実施例の最初の位置はスリット８が開いたハート型である。そして、スリットに隣接する第１と第２のボールの間隔を狭める操作によってスリット８が閉じる。ボール間の間隔を狭めた後は収縮固定具１５の長さを狭めてその位置を保つ。
【００４２】
スリット８を挟む第１と第２のボールの大きさは、５０〜７５ｍｍまでの範囲とする。この代表的なものとしては請求項９に示す硬式テニスボールがあり、空気圧が一気圧で長期にわたり弾力性が変わらないノンプレッシャーボールが望ましい。
【００４３】
第３のボールの大きさは、３０〜６０ｍｍまでの範囲とし、代表的なものでゴルフボールのサイズがある。ただし、素材はウレタンなど腰があり柔軟性のあるものとする。
【００４４】
収納部材６の素材はスポーツ系衣料やカバンや運動靴に使用される強度と柔軟性のある素材でポリエステルやキルティングや人造皮革などがあり、代表的なものとしては収縮性と通気性のあるポリエステルでできたメッシュ生地がある。ここで、生地の色が薄くボールの色が見えてしまう場合には、収納部材６の色が際立つように下地に薄手の白色の生地を追加する。収納部材６の厚さは０．５〜５．０ｍｍとし、薄地はハードなマッサージに適し、厚地はソフトなマッサージに適する。収納部材６を一体化するためにミシンで立体に縫製する際には、滑り止めマット９の裏にボールと弾性部材７を入れるサイズの開口部を空ける。開口部からボールと弾性部材を挿入した後、手縫いで閉じる。開口部はファスナーで開閉可能にしてもよい。収納部材６には汚れ防止のため、さらに着脱が容易で洗濯ができる全体を覆うカバーを付けてもよい。
【００４５】
収納部材６のサイズは平面図（図５)での、最初の位置の横幅は1５ｃｍ〜１７ｃｍの範囲とする。縦幅は肩からボールの中心が頸部のツボに位置するまでの長さであり、使用者の身長により異なり、弾性部材７の収縮を配慮して1５ｃｍ〜１８ｃｍの範囲とする。全体の形状はハート型にすることで商品価値を高める。
【００４６】
スリット８の外側ラインからの深さは２ｃｍから５ｃｍであり、スリットを挟む２つのボールの隙間を狭めた後、内側に向けて力を加えないと自然に最初の位置までスリットが開いてハート型に戻る構造とする。この戻る力は、ボールの間隔を開く柔軟な弾性部材２０の弾力を主とするが、スリット８の切り込みの長さと、収納部材６の弾力、固めの弾性部材１９の形状も関係する。
【００４７】
柔軟な弾性部材１８と固めの弾性部材１９は発泡材であり３層構造であり、ウレタンフォームなどで成形されたものを最初の位置の収納部材６の形状に合わせて形を整える。図２、図４に示すように、人体側と底面に設置するスポンジ硬度は１０〜２０で柔軟な弾性部材１８とする。３層の内側に設置するのは変形の少ないスポンジ硬度が２１〜４０の固めの弾性部材１９とする。柔軟な弾性部材１８と固めの弾性部材１９は接着によって一体化する。
ここで、スポンジ硬度を定める要因の頸部に使用した際の負荷は、力のかかる方向を示す側面図（図９）に示す頭部からの矢印１３の力の一部である肩側に向いて矢印１４の力となり、この矢印１４に拮抗する力として固めの弾性部材１９の断面積とスポンジ硬度を定める。
【００４８】
さらに特に滑り易い畳などの床材に対しては滑り止めマット９を第１と第２のボールが床面に接する位置に張り付ける。収納部材６へは底面図（図６）のようにボールの底面にあたる位置に縫製、または接着する。このように一枚でボールの底面に対応させても、第１と第２のボールに合わせて２枚に分けてもよい。
【００４９】
第１と第２のボールの間のスリット８を狭めた状態で固定するには収縮固定具１５を使用する。収縮固定具１５は面ファスナーメス１６と面ファスナーオス１７で構成され、面ファスナーメス１６の裏側は滑り止めマット９と縫製もしくは接着する。使用する際には、スリットを開いた収縮固定具の厚さを誇張した背面図の下部（図８（ａ））の状態にある面ファスナーを開き、スリット８を閉じた収縮固定具の厚さを誇張した背面図の下部（図８（ｂ））のようにスリット８を狭めた状態で、面ファスナーメス１６と面ファスナーオス１７を繋げる。
【００５０】
（２）第二実施例
斜視図（図１０）、正面図（図１１）、左側面図（図１２）、平面図（図１３）、底面図（図１４）、スリットを開いた平面図（図１５）は、本発明の第二実施例であって請求項１、３、５、６に示すものである。
【００５１】
第二実施例の最初の位置はスリット８が閉じた形状で四角形である。ここではスリット８を開く操作によって第１と第２ボールの間隔が広がる。頸部に使用時にはボール間隔が広がった後は頭部の重みでその状態を保つことができる。そのため、第一実施例に示す収縮固定具１５は不要となる。
【００５２】
第１実施例との違いは最初の位置でスリットが閉じていることであり、固めの弾性部材１９が支える第４と第５のボールが肩に当たることでボールマッサージ器を安定して使用することができる。使用後はスリットが開いたときの収納部材と弾性部材の変形に反発するストレスで第１と第２のボール間隔が閉じる最初の位置まで戻る。
【００５３】
収納部材６のサイズは平面図（図５)での、最初の位置の横幅は1２ｃｍ〜１５ｃｍの範囲とする。縦幅は肩からボール１の中心が頸部のツボに位置する長さであり、使用者の身長により異なり、弾性部材の収縮を配慮して、1５ｃｍ〜１８ｃｍの範囲とする。
【００５４】
なお、頚椎へのマッサージで使用する第４と第５ボールのサイズは第一実施例に示す第３ボール相当とする。また、腰や背中へのマッサージで使用する第４と第５ボールは第１と第２ボールへの体重を分散する役割りがあり、そのサイズは第１と第２ボール以下から第３のボール相当までものとする。
【００５５】
（３）第三実施例
固い底面部材を装着した側面図（図１６）は、本発明の第三実施例であって請求項７に示すものである。
【００５６】
第三実施例は柔らかな布団の上で頚椎に使用する際、ボールが布団に入る深さを低減するものであり、第１と第２のボールの重みを固い底面部材２１で分散させる。この固い底面部材２１は直接、外側の収納部材６に接しないようにして柔軟な弾性部材１８かボールで包まれる。固い底面部材２１の厚さは、固い底面部材を装着した側面図（図１６）に示すように第１と第２のボールの下の箇所に１〜３ｃｍの厚みを持たせる。場合によって第３と第４ボールの下部も同じ厚みになってもよい。固い底面部材２１の材質は強度が保たれて変形がないものとし、軽さも求められるため、強度のある薄い素材での波状やハニカム構造も推奨する。
【００５７】
（４）第四実施例
第四実施例は椅子１２に着用した実施例で、椅子に装着した斜視図（図１７）は本発明の請求項８に示すものである。バンド状の椅子止めホルダ１０で椅子１２に巻くサイズを定め、ワンタッチバックル１１で着脱できる構造とする。椅子止めホルダ１０はその長さの一部を収縮性のある素材を使い椅子１２への固定が緩むことを防ぐこともできる。  
【００５８】
（５）第五実施例
第五実施例は複数のボールマッサージ器を椅子１２で使用するもので、椅子に複数個を連結した斜視図（図１８）は、背骨に沿ってボールマッサージ器を複数同時に使う第五実施例である。複数のボールマッサージ器を繋いで一体化するにはそれぞれの接続を面ファスナーなどで繋ぐ構造とする。
【産業上の利用可能性】
【００５９】
本発明は人体の頸部や腰部や背中のツボに当ててマッサージに用いる医療補助器具の技術分野に属する。
【符号の説明】
【００６０】
１  第１のボール
２  第２のボール
３  第３のボール
４  第４のボール
５  第５のボール
６  収納部材
７  弾性部材
８  スリット
９  滑り止めマット
１０  椅子止めホルダ
１１  ワンタッチバックル
１２  椅子
１３  力の加わる矢印
１４  水平に力が加わりずれる矢印
１５  収縮固定具
１６  面ファスナーメス
１７  面ファスナーオス
１８  柔軟な弾性部材
１９  固めの弾性部材
２０  ボールの間隔を開く柔軟な弾性部材
２１  固い底面部材
【図１】
2015042235.tif 000003
【図２】
2015042235.tif 000004
【図３】
2015042235.tif 000005
【図４】
2015042235.tif 000006
【図５】
2015042235.tif 000007
【図６】
2015042235.tif 000008
【図７】
2015042235.tif 000009
【図８】
2015042235.tif 000010
【図９】
2015042235.tif 000011
【図１０】
2015042235.tif 000012
【図１１】
2015042235.tif 000013
【図１２】
2015042235.tif 000014
【図１３】
2015042235.tif 000015
【図１４】
2015042235.tif 000016
【図１５】
2015042235.tif 000017
【図１６】
2015042235.tif 000018
【図１７】
2015042235.tif 000019
【図１８】
2015042235.tif 000020